(57)【要約】【課題】歯抜け映像を防止する。【解決手段】画像信号供給装置（２又は２ａ）は、複数のケーブルの各々が接続状態にあるか否かを検知するケーブル状態検知部（２１）と、前記ケーブル状態検知部（２１）が、前記複数のケーブルの少なくとも何れかが接続状態にないと検知した場合に、前記複数のケーブルのうち、当該接続状態にないケーブル以外のケーブルに対して、表示領域全体に表示するための画像信号を供給する画像信号供給部（２２）とを備える。【選択図】図１
2019045655.tif 000002
【特許請求の範囲】
【請求項１】
表示部に対して、複数のケーブルを用いて、前記表示部の表示領域を構成する複数の部分領域の各々に関する画像信号を供給する画像信号供給装置であって、
前記複数のケーブルの各々が接続状態にあるか否かを検知するケーブル状態検知部と、
前記ケーブル状態検知部が、前記複数のケーブルの少なくとも何れかが接続状態にないと検知した場合に、前記複数のケーブルのうち、前記接続状態にないケーブル以外のケーブルに対して、表示領域全体に表示するための画像信号を供給する画像信号供給部と、
を備えていることを特徴とする画像信号供給装置。
【請求項２】
画像信号変換部を更に備え、
前記画像信号変換部は、
前記ケーブル状態検知部が、前記複数のケーブルの少なくとも何れかが接続状態にないと検知した場合に、
前記複数の部分領域の各々に関する画像信号を参照して、前記接続状態にないケーブル以外のケーブルのみを用いて表示領域全体に表示するための画像信号を生成することを特徴とする請求項１に記載の画像信号供給装置。
【請求項３】
前記ケーブル状態検知部が、前記複数のケーブルの少なくとも何れかが接続状態にないと検知した場合に、表示領域全体に表示するための画像信号を供給するケーブルとして、接続状態にある何れかのケーブルを自動選択することを特徴とする請求項１又は２に記載の画像信号供給装置。
【請求項４】
前記ケーブル状態検知部が、前記複数のケーブルの少なくとも何れかが接続状態にないと検知した場合に、表示領域全体に表示するための画像信号を供給するケーブルとして、
ユーザが事前に設定したケーブルを選択することを特徴とする請求項１又は２に記載の画像信号供給装置。
【請求項５】
前記ケーブル状態検知部が、前記複数のケーブルの少なくとも何れかが接続状態にないと検知した場合に、表示領域全体に表示するための画像信号を供給するケーブルとして、
接続状態にある全てのケーブルを選択することを特徴とする請求項１又は２に記載の画像信号供給装置。
【請求項６】
前記ケーブル状態検知部が、前記複数のケーブルの少なくとも何れかが接続状態にないと検知した場合に、前記ケーブルが接続状態にない旨の表示用通知を供給することを特徴とする請求項１から５までの何れか１項に記載の画像信号供給装置。
【請求項７】
前記ケーブルとは、ＨＤＭＩ規格のケーブルであることを特徴とする請求項１から６までの何れか１項に記載の画像信号供給装置。
【請求項８】
請求項１から７までの何れか１項に記載の画像信号供給装置と、
前記画像信号供給装置が供給する複数の部分領域の各々に関する画像信号を入力し、表示領域を構成する表示装置と、
を備えることを特徴とする表示システム。
【請求項９】
複数のケーブルを用いて、表示領域を構成する複数の部分領域の各々に関する画像信号を供給する画像信号供給方法であって、
前記複数のケーブルの各々が接続状態にあるか否かを検知するケーブル状態検知ステップと、
前記ケーブル状態検知ステップにおいて、前記複数のケーブルの少なくとも何れかが接続状態にないと検知した場合に、前記複数のケーブルのうち、前記接続状態にないケーブル以外のケーブルに対して、表示領域全体に表示するための画像信号を供給する画像信号供給ステップと、
を含んでいることを特徴とする画像信号供給方法。
【請求項１０】
請求項１から７までの何れか１項に記載の画像信号供給装置としてコンピュータを機能させるための制御プログラムであって、前記ケーブル状態検知部及び前記画像信号供給部としてコンピュータを機能させるための制御プログラム。
【請求項１１】
請求項１０に記載の制御プログラムを記載したコンピュータ読み取り可能な記録媒体。
【発明の詳細な説明】
【技術分野】
【０００１】
本発明は、画像信号供給装置、表示システム、画像信号供給方法、制御プログラム及び記録媒体に関する。
【背景技術】
【０００２】
近年、８Ｋ映像と呼ばれる７６８０×４３２０の解像度を有する映像の表示に係る機器類が存在する。
【０００３】
ＳＴＢ（Set Top Box）等の画像信号供給装置から表示装置に対し８Ｋ映像を出力する場合には、例えばＨＤＭＩ（登録商標）２．１規格のケーブルが必要であるが、上記規格のケーブルは普及の過渡期にある。その為、上記出力を行う場合には、４Ｋ映像（３８４０×２１６０）を出力可能なＨＤＭＩ２．０規格のケーブル４本を使用する構成が顕著である。
【０００４】
下記の特許文献１では、複数の映像信号伝送路を持ち、上記映像信号伝送路の何れかが遮断された場合に、残りの映像信号伝送路に係る信号のみを用いて正常な映像を表示する方法が開示されている。
【先行技術文献】
【特許文献】
【０００５】
【特許文献１】特開２００７−３０６１３０号公報（２００７年１１月２２日公開）
【発明の概要】
【発明が解決しようとする課題】
【０００６】
しかしながら、上記のような従来技術は、上記４本のケーブルのうち、１本でも抜けた状態又は断線状態になると、対応する表示画面の箇所には映像が表示されない（所謂歯抜け映像となる）為、映像品位が大きく低下するという問題がある。上記特許文献１に開示された方法は、立体映像に係る左右映像とフレームの組み合わせを変換する発明であるので、特許文献１において開示された方法を用いても上記の問題は解決されない。
【０００７】
本発明の一態様は、上記の課題を鑑みてなされたものであり、複数のケーブルを用いて表示画面の表示領域を構成する複数の部分領域の各々に関する画像信号を供給する場合において、接続状態に無いケーブルが存在した場合に、歯抜け映像となることを防止する画像信号供給装置を実現することを目的とする。
【課題を解決するための手段】
【０００８】
上記の課題を解決するために、本発明の一態様に係る画像信号供給装置は、表示装置に対して、複数のケーブルを用いて、当該表示画面の表示領域を構成する複数の部分領域の各々に関する画像（映像）信号を供給する場合において、前記複数のケーブルの各々が接続状態にあるか否かを検知するケーブル状態検知部と、前記ケーブル状態検知部が、前記複数のケーブルの少なくとも何れかが接続状態にないと検知した場合に、前記複数のケーブルのうち、当該接続状態にないケーブル以外のケーブルに対して、表示領域全体に表示するための画像信号を供給する画像信号供給部とを備える。
【発明の効果】
【０００９】
本発明の一態様によれば、複数のケーブルを用いて表示画面の表示領域を構成する複数の部分領域の各々に関する画像信号を供給する場合において、接続状態に無いケーブルが存在した場合に、所謂歯抜け映像となることを防止する画像信号供給装置を実現できる。
【図面の簡単な説明】
【００１０】
【図１】実施形態１に係る表示システム１を示す機能ブロック図である。
【図２】実施形態１に係る処理の流れを示すフローチャートである。
【図３】８Ｋ映像を表示画面に表示する例を示す１図である。
【図４】４Ｋ映像を表示画面の表示領域全体に表示する例を示す図である。
【図５】表示領域の一部が欠落した映像再生を示す図である。
【図６】実施形態１の変形例１に係る表示システム１ａを示す機能ブロック図である。
【図７】実施形態２に係る処理の流れを示すフローチャートである。
【図８】４Ｋ映像と、ケーブル状態の警告を表示画面に表示する例を示す図である。
【発明を実施するための形態】
【００１１】
本発明の実施形態について図１〜図８に基づいて説明すれば以下の通りである。
【００１２】
各実施形態の説明に先立って、本願発明で主に使用を想定しているＨＤＭＩ規格について補足する。
【００１３】
ＨＤＭＩ（High-Definition Multimedia Interface）とは、デジタル機器どうしを接続するインターフェイスであり、映像だけでなく音声及び制御信号も併せて伝送できるケーブル規格である。ＨＤＭＩはＨＰＤ（Hot Plug Detect）機能と呼ばれる、ケーブルによる当該接続先の機器が適切に通信できる接続状態にあるか否かを検知することができる機能を有する。
【００１４】
〔実施形態１〕
以下、本発明の一実施形態について、図１〜図５に基づいて説明する。
【００１５】
本実施形態においては、画像信号供給装置から８Ｋ映像を構成する４Ｋ映像信号４つを送信し、表示装置において８Ｋ映像を再生する場合において、上記４Ｋ映像信号の何れかが適切に送信されなくなった場合に、他の４Ｋ映像をアップコンバートして表示部に表示する処理について説明する。
【００１６】
〔１．表示システム１の構成〕
図１に基づいて本実施形態の構成について説明する。
【００１７】
図１は、本実施形態に係る表示システム１を示す機能ブロック図である。
【００１８】
図１に示す通り、表示システム１は画像信号供給装置２とテレビジョン受像機３とを備えている。画像信号供給装置２は、ＨＤＭＩ２．０送信ポート１０Ａ〜１０Ｄ、制御部２０、及び記憶部３０を備えている。制御部２０は、ケーブル状態検知部２１及び画像信号供給部２２を備えている。
【００１９】
テレビジョン受像機３は、チューナー４と表示装置５とを備えている。表示装置５は、ＨＤＭＩ２．０受信ポート１１Ａ〜１１Ｄ、制御部４０、映像処理部５０、記憶部６０、及び表示部７０を備えている。
【００２０】
ＨＤＭＩ２．０送信ポート１０Ａ〜１０Ｄは、ＨＤＭＩ２．０対応ケーブルを介して、４Ｋ映像と呼ばれる３８４０×２１６０の解像度の出力がそれぞれ可能である。
【００２１】
画像信号供給装置２が備えるＨＤＭＩ２．０送信ポート１０Ａ〜１０Ｄと表示装置５が備えるＨＤＭＩ２．０受信ポート１１Ａ〜１１ＤとはＨＤＭＩ（２．０対応）ケーブルによりそれぞれ接続されている。
【００２２】
制御部２０は、画像信号供給装置２全体を統括する制御回路であり、ケーブル状態検知部２１及び画像信号供給部２２としても機能する。ケーブル状態検知部２１は、上述したＨＤＭＩのＨＰＤ機能を用い、ＨＤＭＩ２．０送信ポート１０Ａ〜１０Ｄに接続された各ＨＤＭＩケーブルによって表示装置５と適切に通信できる接続できる状態にあるか否かを検知する。画像信号供給部２２は、ＨＤＭＩ２．０送信ポート１０Ａ〜１０Ｄにそれぞれ映像信号を送信させる。記憶部３０は、各種データ等を保持する。８Ｋ映像を構成する各４Ｋ映像データが、当初記憶部３０に格納されているものとする。画像信号変換部３１は、
上記８Ｋ映像と同様の内容の４Ｋ映像を生成する。
【００２３】
制御部４０は、表示装置５全体を統括する制御回路である。
【００２４】
映像処理部５０は、表示装置５が備えるＨＤＭＩ２．０受信ポート１１Ａ〜１１Ｄにそれぞれ入力された４つの４Ｋ映像を１つの８Ｋ映像に統合する制御回路であって、その他、映像のコンバータとしても機能する。なお、制御部４０が映像処理部５０として機能する構成であってもよい。
【００２５】
記憶部６０は、各種映像データ等を保持する。表示部７０は、動画像を表示する表示パネルであって、８Ｋ映像を再生する７６８０×４３２０の解像度を有する。
【００２６】
〔２．処理の流れ〕
以下、表示システム１における処理の流れについて図１〜図５に基づいてステップごとに説明する。
【００２７】
図２は、本実施形態に係る処理の流れを示すフローチャートである。
（Ｓ１０１）
本ステップでは、ケーブル状態検知部２１が、ＨＤＭＩ２．０送信ポート１０Ａ〜１０Ｄ全てから対応するＨＤＭＩ２．０受信ポート１１Ａ〜１１Ｄへ適切にデータが送信できる状態であるか否かを上記のＨＰＤ機能を用いて判定を行う。
【００２８】
適切にデータが送信できる状態であればステップＳ１０２へ、ポート間を繋ぐケーブルの断線等により、少なくとも何れかのポート間においてデータが適切に送信できない状態であればステップＳ１０３へ遷移する。
（Ｓ１０２）
画像信号供給部２２は、記憶部３０に格納されている８Ｋ映像を構成する各４Ｋ映像に係る信号をＨＤＭＩ２．０送信ポート１０Ａ〜１０Ｄからそれぞれ送信させる。
【００２９】
ＨＤＭＩ２．０受信ポート１１Ａ〜１１Ｄは上記４Ｋ映像信号をそれぞれ受信する。制御部４０は上記４Ｋ映像信号に係るデータを記憶部６０に格納する。
【００３０】
映像処理部５０は４つの上記４Ｋ映像を１つの８Ｋ映像に統合する。
【００３１】
図３は、上記８Ｋ映像を表示部７０に表示する例を示す図である。
【００３２】
制御部４０は、記憶部６０に格納された当該データを参照して、図３のように上記８Ｋ映像を表示部７０に表示させる。
【００３３】
ケーブル状態検知部２１は、所定の単位時間ごとに、ＨＤＭＩ２．０送信ポート１０Ａ〜１０Ｄを監視する。
【００３４】
ケーブル状態検知部２１による判定のため、再度ステップＳ１０１へ遷移する。
（Ｓ１０３）
画像信号変換部３１は、記憶部３０に格納されている上記８Ｋ映像（を構成する部分映像である各４Ｋ映像）を参照し、上記８Ｋ映像と同様の内容の４Ｋ映像を記憶部３０上に生成し、生成した４Ｋ映像を記憶部３０に格納する。換言すると、上記８Ｋ映像信号を、接続状態にないケーブル以外のケーブルのみを用いて表示部７０の表示領域全体に表示するための４Ｋ映像信号に変換する。或いは、画像信号変換部３１は、前記複数の部分領域の各々に関する画像信号を参照して、前記接続状態にないケーブル以外のケーブルのみを用いて表示領域全体に表示するための画像信号を生成すると表現してもよい。なお、当初から記憶部３０が、上記８Ｋ映像と同様の内容の４Ｋ映像に係るデータを保持していた場合は当然に当該データを以降の処理に用いても構わない。
【００３５】
画像信号供給部２２は、表示部７０の表示領域全体に表示するための画像信号として、記憶部３０に格納されている上記８Ｋ映像と同様の内容の４Ｋ映像信号を、適切に通信可能なＨＤＭＩ２．０送信ポート１０Ａ〜１０Ｄのうち、何れかのポート（ケーブル）から供給させ、上記ポート以外からの当該映像信号の送信を停止させる。上記ポートは例えば数字の若いポートを優先して自動選択する。
【００３６】
上記のＨＤＭＩ２．０送信ポート（１０Ａ、１０Ｂ、１０Ｃ又は１０Ｄ）と対応するＨＤＭＩ２．０受信ポート（１１Ａ、１１Ｂ、１１Ｃ又は１１Ｄ）は、上記４Ｋ映像信号を受信する。制御部４０は上記４Ｋ映像信号に係るデータを記憶部６０に格納する。
【００３７】
映像処理部５０は、上記４Ｋ映像信号を表示部７０の表示領域全体に再生できる大きさにアップコンバートする。
【００３８】
図４は、上記４Ｋ映像を表示部７０の表示領域全体に表示する例を示す図である。また、図４は、部分映像Ｂに係る映像信号の送信に係るＨＤＭＩケーブルが抜けていることを示している。制御部４０は、図４のように上記４Ｋ映像を表示部７０に表示させる。
【００３９】
なお、適切にデータを送信できないポート（ケーブル）の状態を復旧させた場合の処理については、後述する実施形態２において説明する。
【００４０】
図５は、表示領域の一部が欠落した映像再生を示す図である。
【００４１】
上記の構成によれば、正常に送受信が行えないポート又はＨＤＭＩケーブルが存在した場合においても、表示画面が歯抜け映像となることを防止する効果を奏する。
【００４２】
［変形例１］
本変形例では、実施形態１を更に一般化した構成について図６に基づいて説明する。
【００４３】
図６は、本変形例に係る表示システム１ａを示す機能ブロック図である。図６に示すように、画像信号供給装置２ａは、図１に示す画像信号供給装置２が備えるＨＤＭＩ２．０送信ポート１０Ａ〜１０Ｄに替わり、複数の映像送信ポート１２Ａ及び１２Ｂ等を備えている。また、表示装置５ａは、表示装置５が備えているＨＤＭＩ２．０受信ポート１１Ａ〜１１Ｄに替わり、複数の映像受信ポート１３Ａ及び１３Ｂ等をそれぞれ備えている。
【００４４】
上記構成において、各ポート間を接続するケーブルは、上記ポートに準拠した規格のケーブルである。
【００４５】
また、表示装置５ａが備える表示部７０ａは、８Ｋ映像を再生する７６８０×４３２０の解像度であることに限定されない。ただし、表示部７０ａの解像度は、上記映像送信ポートから送信可能な解像度の部分映像信号全てにより構成される表示領域の解像度と等しい。
【００４６】
当初、記憶部３０には、表示部７０ａの表示領域の解像度と等しい全体映像を構成する各部分映像データが格納されている。
【００４７】
上記の構成において、実施形態１に相当する処理を行う。即ち、画像信号変換部３１は、記憶部３０に格納されている各部分映像データであって、表示部７０ａの表示領域の解像度と等しい全体映像を構成する各部分映像データを参照し、表示部７０ａの表示領域の解像度と等しい全体映像と同様の内容の映像データであって、映像送信ポート１２Ａ又は１２Ｂ等のうち何れか１箇所から送信可能な解像度の映像データを生成し、生成した映像データを記憶部３０に格納する。なお当初から記憶部３０が、表示部７０ａの表示領域の解像度と等しい全体映像と同様の内容の映像データであって、映像送信ポート１２Ａ又は１２Ｂ等のうち何れか１箇所から送信可能な解像度の映像データを保持していた場合は当然に当該データを以降の処理に用いても構わない。
【００４８】
画像信号供給部２２は、記憶部３０に格納されている各部分映像を、映像送信ポート１２Ａ及び１２Ｂ等からそれぞれ送信し、制御部４０は上記映像データを記憶部６０に格納する。映像処理部５０は、上記映像データを表示部７０ａの解像度と等しい解像度の映像に統合する。制御部４０は、記憶部６０に格納された当該映像に係るデータを参照して、上記映像を表示部７０ａに表示させる。
【００４９】
上記の映像再生において、ケーブル状態検知部２１が、何れかの映像送信ポート１２Ａ又は１２Ｂ等から当該映像データが適切に送信されなくなったことを検知した場合は、画像信号供給部２２は、表示部７０ａの表示領域全体に表示するための画像信号として、記憶部３０に格納されている映像送信ポート１２Ａ又は１２Ｂ等のうち何れか１箇所から送信可能な解像度であって上記表示領域に再生する全体映像と同様の内容の映像信号を、適切に通信可能な何れかの映像送信ポート１２Ａ又は１２Ｂ等のうち、何れかのポート（ケーブル）から送信させ、上記ポート以外からの当該映像信号の送信を停止させる。上記ポートは例えば数字の若いポートを優先して自動選択する。
【００５０】
上記の映像送信ポート１２Ａ又は１２Ｂ等と対応する映像受信ポート１３Ａ又は１３Ｂ等は、上記映像信号を受信する。制御部４０は上記映像信号に係るデータを記憶部６０に格納する。
【００５１】
映像処理部５０は、上記映像信号を表示部７０ａの表示領域全体に再生できる大きさにアップコンバートする。制御部４０は、記憶部６０に格納された当該データを参照し、上記の映像を表示部７０ａに表示させる。
【００５２】
上記の構成よれば、ＨＤＭＩ２．０ケーブルを用いて、４つの４Ｋ映像から８Ｋ映像を構成する場合以外の場合においても、表示画面が歯抜け映像となることを防止する効果を奏する。
【００５３】
［変形例２］
実施形態１のステップＳ１０３において、画像信号供給部２２が、記憶部３０に格納されている８Ｋ映像と同様の内容の４Ｋ映像信号を送信させるポート（ケーブル）は、ユーザが事前に設定したポートでもよい。
【００５４】
上記の構成においても実施形態１と同様な効果を奏する。
【００５５】
［変形例３］
実施形態１のステップＳ１０３において、画像信号供給部２２が、記憶部３０に格納されている８Ｋ映像と同様の内容の４Ｋ映像信号を送信させるポート（ケーブル）は、接続状態にある全てのポートでもよい。
【００５６】
上記の構成においても実施形態１と同様な効果を奏する。
【００５７】
なお、上記の変形例１〜３は後述の実施形態にも適用可能である。
【００５８】
〔実施形態２〕
本発明の他の実施形態について、図１、図３、図７及び図８に基づいて説明する。
【００５９】
本実施形態では、ユーザによるコンテンツ視聴中に、画像信号供給装置と表示装置５との何れかのポート間において適切に通信できなくなった場合に、当該状態を画面に表示する構成について説明する。
【００６０】
［１．表示システム１の構成］
本実施形態においても実施形態１の場合と同様に、図１に示す構成を用いる。
［２．処理の流れ］
以下、表示システム１における処理の流れについて図７及び図８に基づいてステップごとに説明する。
【００６１】
図７は本実施形態に係る処理の流れを示すフローチャートである。
（Ｓ１０１）
本ステップでは、ケーブル状態検知部２１が、ＨＤＭＩ２．０送信ポート１０Ａ〜１０Ｄ全てから対応するＨＤＭＩ２．０受信ポート１１Ａ〜１１Ｄへ適切にデータが送信できる状態であるか否かを上記のＨＰＤ機能を用いて判定を行う。
【００６２】
適切にデータが送信できる状態であればステップＳ１０２へ、ポート間を繋ぐケーブルの断線などにより、少なくとも何れかのポート間においてデータが適切に送信できない状態であればステップＳ１０３’へ遷移する。
（Ｓ１０２）
画像信号供給部２２は、記憶部３０に格納されている８Ｋ映像を構成する各４Ｋ映像信号（データ）をＨＤＭＩ２．０送信ポート１０Ａ〜１０Ｄからそれぞれ送信させる。
【００６３】
ＨＤＭＩ２．０受信ポート１１Ａ〜１１Ｄは上記４Ｋ映像信号をそれぞれ受信する。制御部４０は上記４Ｋ映像信号を記憶部６０に格納する。
【００６４】
映像処理部５０は４つの上記４Ｋ映像を１つの８Ｋ映像に統合する。
【００６５】
図３は、上記４Ｋ映像を表示部７０に表示する例を示す図である。
【００６６】
制御部４０は、記憶部６０に格納された当該８Ｋ映像に係るデータを参照して、図３のように上記８Ｋ映像を表示部７０に表示させる。
【００６７】
ケーブル状態検知部２１は、所定の単位時間ごとに、ＨＤＭＩ２．０送信ポート１０Ａ〜１０Ｄを監視する。
【００６８】
ケーブル状態検知部２１による判定のため、再度ステップＳ１０１へ遷移する。
（Ｓ１０３’）
画像信号変換部３１は、記憶部３０に格納されている上記８Ｋ映像（を構成する部分映像である各４Ｋ映像）を参照し、上記８Ｋ映像と同様の内容の４Ｋ映像を記憶部３０上に生成し、生成した４Ｋ映像を記憶部３０に格納する。換言すると、上記８Ｋ映像信号を、接続状態にないケーブル以外のケーブルのみを用いて表示部７０の表示領域全体に表示するための４Ｋ映像信号に変換する。或いは、画像信号変換部３１は、前記複数の部分領域の各々に関する画像信号を参照して、前記接続状態にないケーブル以外のケーブルのみを用いて表示領域全体に表示するための画像信号を生成すると表現してもよい。なお、当初から記憶部３０が、上記８Ｋ映像と同様の内容の４Ｋ映像に係るデータを保持していた場合は当然に当該データを以降の処理に用いても構わない。
【００６９】
画像信号供給部２２は、表示部７０の表示領域全体に表示するための画像信号として、記憶部３０に格納されている上記８Ｋ映像と同様の内容の４Ｋ映像信号と、データが適切に送信できない状態にあるポート間に関する表示用通知とをＨＤＭＩ２．０送信ポート１０Ａ〜１０Ｄのうち、何れかのポート（ケーブル）から供給させる。上記ポートは例えば数字の若いポートを優先して自動選択する。
【００７０】
上記のＨＤＭＩ２．０送信ポート（１０Ａ、１０Ｂ、１０Ｃ又は１０Ｄ）と対応するＨＤＭＩ２．０受信ポート（１１Ａ、１１Ｂ、１１Ｃ又は１１Ｄ）は、上記４Ｋ映像信号と上記表示用通知とを受信する。制御部４０は上記４Ｋ映像信号と上記表示用通知とに係るデータを記憶部６０に格納する。
【００７１】
映像処理部５０は、上記の４Ｋ映像を表示部７０の表示領域全体に再生できる大きさにアップコンバートする。
【００７２】
図８は、上記４Ｋ映像と、ケーブル状態の警告を表示部７０に表示する例を示す図である。
【００７３】
制御部４０は、記憶部６０に格納された当該４Ｋ映像に係るデータを参照し、図８のように上記４Ｋ映像を表示部７０に表示させる。また、制御部４０は、当該ポート間において適切に通信が行われていない旨についても、所定の時間、上記４Ｋ映像に重畳して表示部７０に表示させる。
【００７４】
次いでステップＳ１０４に遷移する。
（Ｓ１０４）
本ステップにおいては、ステップＳ１０３において抜けているケーブルを差しなおした（又は断線したケーブルを交換した）か否かによる分岐を行う。
【００７５】
当該ケーブルを差しなおした場合は、ステップＳ１０１へ、当該ケーブルを差しなおしていない場合はステップＳ１０３’へ遷移する、
上記の構成によれば、実施形態１と同様な効果を奏すると共に、ユーザは、８Ｋ映像ではなく４Ｋ映像が表示画面に表示されていることが容易に確認できるので、ユーザの利便性の向上に寄与する効果を奏する。
【００７６】
〔ソフトウェアによる実現例〕
画像信号供給装置（２又は２ａ）の制御ブロック（特にケーブル状態検知部２１及び画像信号供給部２２）は、集積回路（ＩＣチップ）等に形成された論理回路（ハードウェア）によって実現してもよいし、ソフトウェアによって実現してもよい。
【００７７】
後者の場合、画像信号供給装置（２又は２ａ）は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００７８】
〔まとめ〕
本発明の態様１に係る画像信号供給装置（２又は２ａ）は、表示部（７０又は７０ａ）に対して、複数のケーブルを用いて、上記表示部（７０又は７０ａ）の表示領域を構成する複数の部分領域の各々に関する画像信号を供給する、画像信号供給装置（２又は２ａ）であって、上記複数のケーブルの各々が接続状態にあるか否かを検知するケーブル状態検知部２１と、上記ケーブル状態検知部２１が、上記複数のケーブルの少なくとも何れかが接続状態にないと検知した場合に、上記複数のケーブルのうち、上記接続状態にないケーブル以外のケーブルに対して、表示領域全体に表示するための画像信号を供給する画像信号供給部２２と、を備えている構成である。
【００７９】
上記の構成によれば、正常に送受信が行えないポート又はケーブルが存在した場合においても、表示画面が歯抜け映像となることを防止する効果を奏する。
【００８０】
本発明の態様２に係る画像信号供給装置（２又は２ａ）は、上記の態様１において、画像信号変換部３１を更に備え、前記画像信号変換部３１は、前記ケーブル状態検知部２１が、前記複数のケーブルの少なくとも何れかが接続状態にないと検知した場合に、前記複数の部分領域の各々に関する画像信号を参照して、前記接続状態にないケーブル以外のケーブルのみを用いて表示領域全体に表示するための画像信号に変換する構成としてもよい。
【００８１】
上記の構成によれば、当初から記憶部３０が、上記８Ｋ映像と同様の内容の４Ｋ映像に係るデータを保持していない場合においても、態様１と同様な効果を奏する。
【００８２】
本発明の態様３に係る、画像信号供給装置（２又は２ａ）は、上記の態様１又は２において、上記ケーブル状態検知部２１が、上記複数のケーブルの少なくとも何れかが接続状態にないと検知した場合に、表示領域全体に表示するための画像信号を供給するケーブルとして、接続状態にある何れかのケーブルを自動選択する構成としてもよい。
【００８３】
本発明の態様４に係る、画像信号供給装置（２又は２ａ）は、上記の態様１又は２において、上記ケーブル状態検知部２１が、上記複数のケーブルの少なくとも何れかが接続状態にないと検知した場合に、表示領域全体に表示するための画像信号を供給するケーブルとして、ユーザが事前に設定したケーブルを選択する構成としてもよい。
【００８４】
本発明の態様５に係る、画像信号供給装置（２又は２ａ）は、上記の態様１又は２において、続状態にある全てのケーブルを選択する構成としてもよい。
【００８５】
本発明の態様６に係る、画像信号供給装置（２又は２ａ）は、上記の態様１から５までの何れか１態様において、上記ケーブル状態検知部２１が、上記複数のケーブルの少なくとも何れかが接続状態にないと検知した場合に、上記ケーブルが接続状態にない旨の通知を供給する構成としてもよい。
【００８６】
上記の構成によれば、態様１と同様の効果を奏すると共に、ユーザは、当該ポート間における通信が適切になされていないことが容易に確認できるので、ユーザの利便性の向上に寄与する効果を奏する。
【００８７】
本発明の態様７に係る、画像信号供給装置（２又は２ａ）は、上記の態様１から６までの何れか１態様において、上記ケーブルとはＨＤＭＩ規格のケーブルである構成としてもよい。
【００８８】
上記の構成によれば、ＨＤＭＩ規格のケーブルを用いた構成においても、態様１と同様な効果を奏する。
【００８９】
本発明の態様８に係る、画像信号供給装置（２又は２ａ）と、上記、画像信号供給装置（２又は２ａ）が供給する複数の部分領域の各々に関する画像信号を入力し、表示領域を構成する表示装置（５又は５ａ）と、を備えることを特徴とする表示システム（１又は１ａ）は、態様１から７までの何れか１態様に記載の、画像信号供給装置（２又は２ａ）と、上記、画像信号供給装置（２又は２ａ）が供給する複数の部分領域の各々に関する画像信号を入力し、表示領域を構成する表示装置（５又は５ａ）と、を備える構成としてもよい。
【００９０】
上記の構成によれば、態様１の効果を奏する表示システム（１又は１ａ）を実現できる。
【００９１】
本発明の態様９に係る画像信号供給方法は、複数のケーブルを用いて、表示領域を構成する複数の部分領域の各々に関する画像信号を供給する画像信号供給方法であって、上記複数のケーブルの各々が接続状態にあるか否かを検知するケーブル状態検知ステップと、上記ケーブル状態検知ステップにおいて、上記複数のケーブルの少なくとも何れかが接続状態にないと検知した場合に、上記複数のケーブルのうち、上記接続状態にないケーブル以外のケーブルに対して、表示領域全体に表示するための画像信号を供給する画像信号供給ステップと、を含んでいる方法である。
【００９２】
上記の方法によれば、態様１と同様な効果を奏する。
【００９３】
本発明の態様１０に係る制御プログラムは、上記の態様１から７までの何れか１態様に係る、画像信号供給装置（２又は２ａ）としてコンピュータを機能させるための制御プログラムであって、上記コンピュータを上記、画像信号供給装置（２又は２ａ）して機能させる構成としてもよい。
【００９４】
本発明の態様１１に係る記録媒体は、態様１０に係る制御プログラムを記録したコンピュータ読み取り可能な記録媒体であってもよい。
【００９５】
本発明の各態様に係る画像信号供給装置（２又は２ａ）は、コンピュータによって実現してもよく、この場合には、コンピュータを上記画像信号供給装置（２又は２ａ）が備える各部（ソフトウェア要素）として動作させることにより上記画像信号供給装置（２又は２ａ）をコンピュータにて実現させる画像信号供給装置（２又は２ａ）の制御プログラム、及びそれを記録したコンピュータ読み取り可能な記録媒体も、本発明の範疇に入る。
【００９６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９７】
１、１ａ  表示システム
２、２ａ  画像信号供給装置
３  テレビジョン受像機
４  チューナー
５、５ａ  表示装置
１０、４０  制御部
１０Ａ〜１０Ｄ  ＨＤＭＩ２．０送信ポート
１１Ａ〜１１Ｄ  ＨＤＭＩ２．０受信ポート
１２Ａ、１２Ｂ  映像送信ポート
１３Ａ、１３Ｂ  映像受信ポート
２１  ケーブル状態検知部
２２  画像信号供給部
３０、６０  記憶部
３１  画像信号変換部
５０  映像処理部
７０、７０ａ  表示部
【図１】
2019045655.tif 000003
【図２】
2019045655.tif 000004
【図３】
2019045655.tif 000005
【図４】
2019045655.tif 000006
【図５】
2019045655.tif 000007
【図６】
2019045655.tif 000008
【図７】
2019045655.tif 000009
【図８】
2019045655.tif 000010